(57)【要約】      （修正有）【課題】万一の放射線事故に対応するためのものであり、瞬時にヨウ化カリウムを発生させることができるヨウ化カリウム発生剤組成物と、それを使用したヨウ化カリウム発生器、さらにはヨウ化カリウム発生器を使用したヨウ化カリウムの吸入装置を提供する。【解決手段】（Ａ）燃料と（Ｂ）ヨウ素酸カリウムおよび／または過ヨウ素酸カリウムを含み、（Ｂ）成分の含有割合が４０〜６５質量％である、ヨウ化カリウム発生剤組成物。ヨウ化カリウムを含むガスの排出口を有するハウジング内に、点火手段と前記ヨウ化カリウム発生剤組成物が収容されたヨウ化カリウム発生器。前記ヨウ化カリウム発生器と、前記ヨウ化カリウム発生器から発生したヨウ化カリウムを含むガスを充満させるための密閉室と、前記密閉室に接続されたヨウ化カリウムの吸入手段を備えたヨウ化カリウムの吸入装置。【選択図】なし【特許請求の範囲】
【請求項１】
（Ａ）燃料と（Ｂ）ヨウ素酸カリウムおよび／または過ヨウ素酸カリウムを含み、（Ｂ）成分の含有割合が４０〜６５質量％である、ヨウ化カリウム発生剤組成物。
【請求項２】
（Ａ）燃料、（Ｂ）ヨウ素酸カリウムおよび／または過ヨウ素酸カリウム、（Ｃ）バインダーを含み、（Ｂ）成分の含有割合が５０〜７８質量％である、ヨウ化カリウム発生剤組成物。
【請求項３】
（Ａ）成分の燃料が、硝酸グアニジン、ニトログアニジン、５−アミノテトラゾール、硝酸アンモニウム、メラミンから選ばれるものである、請求項１または２記載のヨウ化カリウム発生剤組成物。
【請求項４】
（Ｃ）成分のバインダーが、カルボキシメチルセルロースおよびその塩、グアガム、ポリビニルアルコール、デンプンから選ばれるものである、請求項２記載のヨウ化カリウム発生剤組成物。
【請求項５】
ヨウ化カリウムを含むガスの排出口を有するハウジング内に、点火手段と請求項１〜４のいずれか１項記載のヨウ化カリウム発生剤組成物が収容されたヨウ化カリウム発生器。
【請求項６】
前記ハウジング内には、内側に点火手段室が配置され、前記点火手段室の外側に燃焼室が配置され、前記点火手段室と前記燃焼室の間が内筒部材で分離されている、請求項５記載のヨウ化カリウム発生器。
【請求項７】
前記ハウジング内には、内側に点火手段室が配置され、前記点火手段室の外側に燃焼室が配置され、前記点火手段室と前記燃焼室の間が内筒部材で分離されており、
さらに前記燃焼室の外側には、前記排出口との間に隙間をおいて筒状のクーラント材が配置されている、請求項５記載のヨウ化カリウム発生器。
【請求項８】
前記点火手段が、点火器、または点火器と伝火薬の組み合わせからなるものである、請求項５〜７のいずれか１項記載のヨウ化カリウム発生器。
【請求項９】
請求項５〜８のいずれか１項記載のヨウ化カリウム発生器と、前記ヨウ化カリウム発生器から発生したヨウ化カリウムを含むガスを充満させるための密閉室と、前記密閉室に接続されたヨウ化カリウムの吸入手段を備えたヨウ化カリウムの吸入装置。
【請求項１０】
前記密閉室内にさらに空気の拡散装置が配置されている、請求項９記載のヨウ化カリウムの吸入装置。
【発明の詳細な説明】
【技術分野】
【０００１】
本発明は、ヨウ化カリウム発生剤組成物、それを使用したヨウ化カリウム発生器、それを使用したヨウ化カリウムの吸入装置に関する。
【背景技術】
【０００２】
従来、ヨウ素剤は経口投与する方法が知られており（特許文献１）、万一の放射線事故の場合にも、同様に錠剤を経口投与する方法が採られている。
また、特許文献２には、霧状にした薬剤を吸収する方法も知られており（段落番号０００２）、一部成分としてヨウ化カリウムを含んでもよいことも記載されている（請求項６など）。
【０００３】
特許文献３には、炭水化物、オキソハロゲン酸塩および金属酸化物を含む自動発火性火薬組成物の発明が記載されており、車両のエアバッグ装置用のガス発生器に使用できることも記載されている（請求項１、段落番号０００１）。
オキソハロゲン酸塩は多数が列挙されており、その中の一つとしてヨウ素酸カリウムが例示されているが、実施例で使用しているもの（好ましいもの）は塩素酸カリウムであり、ヨウ化カリウムを発生させることも記載されていない。
【先行技術文献】
【特許文献】
【０００４】
【特許文献１】特表２００３−５１０２４３号公報
【特許文献２】特開２０１３−１５５２０８号公報
【特許文献３】特開平７−２３２９８９号公報
【発明の概要】
【発明が解決しようとする課題】
【０００５】
本発明は、万一の放射線事故に対応するためのものであり、瞬時にヨウ化カリウムを発生させることができるヨウ化カリウム発生剤組成物と、それを使用したヨウ化カリウム発生器、さらにはヨウ化カリウム発生器を使用したヨウ化カリウムの吸入装置を提供することを課題とする。
【課題を解決するための手段】
【０００６】
本発明は、課題の解決手段として、（Ａ）燃料と（Ｂ）ヨウ素酸カリウムおよび／または過ヨウ素酸カリウムを含み、（Ｂ）成分の含有割合が４０〜６５質量％である、ヨウ化カリウム発生剤組成物を提供する。
本発明は、課題の他の解決手段として、（Ａ）燃料、（Ｂ）ヨウ素酸カリウムおよび／または過ヨウ素酸カリウム、（Ｃ）バインダーを含み、（Ｂ）成分の含有割合が５０〜７８質量％である、ヨウ化カリウム発生剤組成物を提供する。
【０００７】
本発明は、さらに他の課題の解決手段として、ヨウ化カリウムを含むガスの排出口を有するハウジング内に、点火手段と上記のヨウ化カリウム発生剤組成物が収容されたヨウ化カリウム発生器を提供する。
【０００８】
本発明のヨウ化カリウム発生器は、周知のエアバッグ装置用のガス発生器であり、ガス源としてガス発生剤を使用するガス発生器を使用することができる。
本発明のヨウ化カリウム発生器は、前記ガス発生剤に代えて、上記のヨウ化カリウム発生剤組成物を使用する。
ヨウ化カリウム発生剤組成物の使用量は、発生させるヨウ化カリウム量に応じて選択する。
【０００９】
本発明は、さらに他の課題の解決手段として、上記のヨウ化カリウム発生器と、前記ヨウ化カリウム発生器から発生したヨウ化カリウムを含むガスを充満させるための密閉室と、前記密閉室に接続されたヨウ化カリウムの吸入手段を備えたヨウ化カリウムの吸入装置を提供する。
【００１０】
本発明のヨウ化カリウムの吸入装置は、携行型および固定型のいずれもよい。
本発明のヨウ化カリウムの吸入装置が携行型であるときは、例えば、５〜１０人程度の必要量に相当するヨウ化カリウムを発生させ、供給できる装置にすることができる。
本発明のヨウ化カリウムの吸入装置が固定型であるときは、例えば１００〜２００人程度の必要量に相当するヨウ化カリウムを発生させ、供給できる装置にすることができる。
【発明の効果】
【００１１】
本発明のヨウ化カリウムの吸入装置は、瞬間的に所要量のヨウ化カリウムを発生させ、それを吸入することができる。
このため、放射線事故が発生したような場合には、各人がヨウ素剤を飲用することに代えて、放射性ヨウ素による甲状腺の内部被爆の予防・低減用として使用することができる。
【図面の簡単な説明】
【００１２】
【図１】本発明のヨウ化カリウム発生器の軸方向の断面図である。
【図２】図１のヨウ化カリウム発生器を使用した本発明のヨウ化カリウムの吸入装置の一部面側の壁を取り去った図である。
【発明を実施するための形態】
【００１３】
＜ヨウ化カリウム発生剤組成物＞
第１のヨウ化カリウム発生剤組成物は、（Ａ）成分の燃料と、（Ｂ）成分のヨウ素酸カリウムおよび／または過ヨウ素酸カリウムを含んでいる。
第２のヨウ化カリウム発生剤組成物は、（Ａ）成分の燃料、（Ｂ）成分のヨウ素酸カリウムおよび／または過ヨウ素酸カリウム、並びに（Ｃ）成分のバインダーを含んでいる。
【００１４】
（Ａ）成分の燃料は、硝酸グアニジン、ニトログアニジン、５−アミノテトラゾール、硝酸アンモニウム、メラミンから選ばれるものが好ましい。
これらは、いずれか１つのみを使用してもよいし、２以上を組み合わせてもよい。
【００１５】
（Ｂ）成分は、ヨウ素酸カリウム（ＫＩＯ3）、過ヨウ素酸カリウム（ＫＩＯ4）、またはヨウ素酸カリウムと過ヨウ素酸カリウムの混合物である。
（Ｂ）成分は、ヨウ化カリウムの発生源となると共に、酸化剤として機能する成分である。
【００１６】
（Ｃ）成分のバインダーは、カルボキシメチルセルロースおよびその塩、グアガム、ポリビニルアルコール、デンプンから選ばれるものが好ましい。
【００１７】
第１のヨウ化カリウム発生剤組成物は、ヨウ化カリウムの発生に好適に作用し、人体に悪影響を及ぼさない範囲で他の添加剤を使用することもできる。
第１のヨウ化カリウム発生剤組成物が（Ａ）成分と（Ｂ）成分からなるときは、
（Ａ）成分の含有割合は３５〜６０質量％、好ましくは４０〜５５質量％であり、
（Ｂ）成分の含有割合は４０〜６５質量％、好ましくは４５〜６０質量％である。
【００１８】
第２のヨウ化カリウム発生剤組成物は、ヨウ化カリウムの発生に好適に作用し、人体に悪影響を及ぼさない範囲で他の添加剤を使用することもできる。
第２のヨウ化カリウム発生剤組成物が（Ａ）成分、（Ｂ）成分および（Ｃ）成分からなるときは、
（Ａ）成分の含有割合は２０〜４５質量％、好ましくは２２〜４５質量％であり、
（Ｂ）成分の含有割合は５０〜７８質量％、好ましくは５５〜７５質量％であり、
（Ｃ）成分の含有割合は２〜１０質量％、好ましくは３〜８質量％である。
【００１９】
ヨウ化カリウム発生剤組成物は、粉末状態であってもよいし、所望形状に成形することもできる。
成形法は、周知のエアバッグ装置用のガス発生器で使用するガス発生剤成形体の成形方法を適用することができる。
【００２０】
＜ヨウ化カリウム発生器＞
図１によりヨウ化カリウム発生器を説明する。
図１に示すヨウ化カリウム発生器１は、基本的な構造はエアバッグ装置に使用する火工式ガス発生器と同じ構造にすることができる。
【００２１】
ハウジング１１は、ディフューザシェル１２とクロージャシェル１３が接合部で溶接一体化されたものである。
ディフューザシェル１２は、側壁面に複数のヨウ化カリウム微粒子を含むガスの排出口（ガス排出口）１４を有している。
ガス排出口１４は、防湿用のシールテープ１５で内側から閉塞されている。
ハウジングは、図１に示す形状のほか、公知のガス発生器で汎用されているシリンダー形状のものも使用することができる。
【００２２】
ハウジング１１の中心軸Ｘを包囲する位置には、内筒部材２０が配置されている。
内筒部材２０は、第１端部２１が天板面１２ａ側に位置し、第２端部２２が底板面１３ａ側に位置している。
内筒部材２０は、周壁面２３において周方向に複数の伝火孔２４を有している。伝火孔２４は、外側からシールテープ２５で閉塞されている。
【００２３】
内筒部材２０の内部は、点火手段室３０になっている。
点火手段室３０内には、底板面１３ａ側から電気式点火器３１が取り付けられている。
点火手段室３０内の天板面１２ａ側には、アルミニウム製容器などに充填された伝火薬（伝火薬容器）３５が配置されている。
伝火薬３５は、電気式点火器３１の着火部３２に当接されている。
なお、伝火薬３５を使用せず、点火器３１だけでヨウ化カリウム発生剤組成物４２を着火するようにしてもよい。
【００２４】
内筒部材２０の外部は燃焼室４０になっており、燃焼室４０と点火手段室３０は、作動前には内筒部材２０で分離されている。
燃焼室４０内には、上記したヨウ化カリウム発生剤組成物４２が充填されている。
燃焼室４０の底板面１３ａ側には、環状のリテーナ４５が配置されている。環状のリテーナ４５は、ヨウ化カリウム発生剤組成物４２の充填量に応じて、中心軸Ｘ方向の位置を移動させることで、燃焼室４０の容量を調節するためのものである。
【００２５】
燃焼室４０の外側には、排出口１４との間に隙間５０をおいて筒状のクーラント材４５が配置されている。
筒状のクーラント材４５は、ヨウ化カリウムを含むガスが通過するときに冷却する機能及び密閉室ハウジング110内に燃焼時に発生する火花などが入ることを防止するためのものである。
発生するヨウ化カリウムを含むガス（筒状のクーラント材４５を通過する前には、ヨウ化カリウムはガス状である）を通過させるため、公知のガス発生器で使用しているクーラントまたはフィルタと比べると、嵩密度の小さなものが好ましく用いられる。
筒状のクーラント材４５と内筒部材２０の間には、位置決め部材４６が配置されている。
【００２６】
＜ヨウ化カリウムの吸入装置＞
図２によりヨウ化カリウムの吸入装置100を説明する。
密閉室ハウジング110内は、作動時にヨウ化カリウム微粒子を含むガスが供給される密閉室120となる。
密閉室ハウジング110は気密性が維持できるものであればよいが、軽量化の観点からプラスチック製が好ましく、また透明プラスチック製にして、内部の状態（ヨウ化カリウム微粒子の発生状態）が肉眼で観察できるようにしてもよい。
密閉室ハウジング110は、円柱、円板、球の一部が切断された形状、直方体、立方体などの外形にすることができる。また、図２は固定型の吸入装置100が縦置きされた状態を示しているが、横置き型にすることもできる。
密閉室ハウジング110の内側面には、ヨウ化カリウム発生器１が作動したときの音（ヨウ化カリウム発生剤組成物の燃焼音）を軽減するため、吸音材を貼り付けることもできる。
【００２７】
密閉室120の大きさ（容積）は、ヨウ化カリウムの発生量に対応して決めることができるものであり、例えば１００人分のヨウ化カリウムを発生させ、かつ発生したヨウ化カリウム濃度を均一に維持するようにすると、０．８２５ｍ3程度である。
このため、多人数分のヨウ化カリウムを発生させる装置にするときは固定型の装置とし、少人数分のヨウ化カリウムを発生させる装置にするときは携行型の装置とすることができる。
密閉室ハウジング110の底面112には、必要に応じて装置100を移動させるための脚車（キャスター）を取り付けることができる。
【００２８】
密閉室120に面した密閉室ハウジング110の天井面111にヨウ化カリウム発生器１が取り付けられている。
ヨウ化カリウム発生器１内の電気式点火器３１は、図示していないリードワイヤを介して、外部電源およびバッテリーなどの非常用電源などと接続され、状況に応じていずれかから通電できるようになっている。
ヨウ化カリウム発生器120は、必要に応じて２以上を取り付けることができる。例えば、１つのヨウ化カリウム発生器120で５０人分のヨウ化カリウムを発生できるとすると、２つのヨウ化カリウム発生器120を取り付けて、順次作動させると、１つの装置１で合計１００人分のヨウ化カリウムを発生させることができる。
【００２９】
密閉室120に面した密閉室ハウジング110の底面112には、内部空気の拡散機能を有するファン130が取り付けられている。
ファン130は、図示していないリードワイヤを介して、外部電源およびバッテリーなどの非常用電源の両方と接続され、状況に応じていずれかから通電できるようになっている。
なお、ヨウ化カリウムの吸入装置100が少人数用であるときは、ファン120は使用しなくてもよい。
【００３０】
密閉室ハウジング110の周壁面113には、密閉室120に接続されたヨウ化カリウムの吸入手段140が接続されている。
吸入手段140は、作動時において密閉室120内のヨウ化カリウム微粒子を含むガスを外部から吸入できるものであればよい。
図２では、チューブ141とマスク142の組み合わせからなる吸入手段140が取り付けられている。
チューブ141は、いずれも柔軟性のあるプラスチックまたはゴムからなるものである。
マスク142は、プラスチック、ゴムのほか、不織布や紙からなるものにすることもできる。
チューブ141は、第１端開口部側が密閉室120内部に接続されており、接続部143には外部から開閉操作ができる開閉弁が取り付けられている。
チューブ141は、反対側の第２端部側がマスク142と接続されている。マスク142は、鼻または口と鼻の両方を覆うことができる形状および大きさのものなどを使用することができる。
吸入手段140は、異なる高さ位置に複数を取り付けることで、成人男性、成人女性、小児などの異なる身長の多数の人が一度に吸入できるようにしてもよい。
また、マスク142は、チューブ141の第２端部側に対して着脱自在にできるようにしておき、交換できるようにすることもできる。
【００３１】
吸入装置100は、密閉室ハウジング110の外側に図示していない電源スイッチが設置されている。
電源スイッチは、ヨウ化カリウム発生器１を作動させるためのスイッチであるが、ファン120を使用したときは、１つの電源スイッチでヨウ化カリウム発生器１とファン120の両方を作動できるようにすることが望ましい。
【００３２】
次に、ヨウ化カリウム発生剤組成物とヨウ化カリウム発生器１を使用したヨウ化カリウムの吸入装置100の動作を説明する。
万一の放射線事故が発生し、ヨウ素剤（ヨウ化カリウム）の摂取が必要になったときには、ヨウ化カリウムの吸入装置100が固定型の場合には、固定型装置100が設置している避難所などにおいて使用し、装置100が携行型の場合には、携行型装置100を持って移動しながら使用するか、または避難所のような場所に持って行って使用する。
電源スイッチ（ヨウ化カリウム発生器１の作動スイッチ）を入れると、ヨウ化カリウム発生器１の点火器３１が作動して、点火手段室３０内の伝火薬３５が着火され、火炎などが発生する。
発生した火炎などは伝火孔２４を塞ぐシールテープ２５を破って、燃焼室４０内に流入して、ヨウ化カリウム発生剤組成物３３を着火燃焼させる。
ヨウ化カリウム発生剤組成物３３の着火燃焼によって、燃焼室４０内ではヨウ化カリウム微粒子を含むガスが発生する。
ヨウ化カリウム微粒子を含むガスは、クーラント材４５を通過して冷却された後、隙間５０に流入し、シールテープ１５を破って、排出口１４から密閉室120内に排出される。なお、排出直後のガス温度は高いが、密閉室120内は室温であるため、速やかに低下される。図２は、冷却されたヨウ化カリウム微粒子が白煙になった状態を示している。
【００３３】
ファン130は、ヨウ化カリウム発生器１の作動と同時に作動しているため、密閉室120内に排出されたヨウ化カリウム微粒子を含むガス（予め密閉室120にある空気を含む）は拡散され、ヨウ化カリウム濃度は均一になる。
その後、マスク142に口と鼻を近づけた状態で数回吸入することで、必要量のヨウ化カリウムを経口および鼻孔で摂取することができる。
【００３４】
本発明の吸入装置を一次避難所、家庭、職場などの目立つ場所に備えておくことで、緊急時には、各人がヨウ素剤を飲用することの代替手段として、使用することができる。
特に本発明の吸入装置を使用すれば、緊急時において各人がヨウ素剤の置き場所を探したり、ヨウ素剤を飲用するための水を用意したりする必要がなくなる。
【実施例】
【００３５】
実施例１〜１６（ヨウ化カリウム発生剤組成物）
表１にヨウ化カリウム発生剤組成物を示す。ヨウ化カリウム発生量は、計算量である。
【００３６】
実施例１〜１６のヨウ化カリウム発生剤組成物７０ｇを充填したヨウ化カリウム発生器を作動させると、表１に示す３０ｇ前後の量（計算量）のヨウ化カリウム微粒子を含むガスが発生する。
約３０ｇのヨウ化カリウム微粒子が容積１．６５ｍ3の密閉室内に充満したとすると、１ｍ3当たりのヨウ化カリウム量は30,000mg／1.65m3＝18181mg／m3となる。
成人男性（肺活量3000ml）が１回の深呼吸で吸入する空気量は約0.003m3であり、成人男性の必要量１３０ｍｇを吸入するためには、130／18181／0.003＝約２．４（回吸入）となる。
よって、２，３回吸入することで、放射性ヨウ素による甲状腺の内部被爆の予防・低減効果が得られることになる。
【００３７】
【表１】
2015218068.tif 000002
【００３８】
ＮＱ：ニトログアニジン、ＧＮ：硝酸グアニジン
ＫＩＯ３：ヨウ素酸カリウム、ＫＩＯ４：過ヨウ素酸カリウム
ＣＭＣＮａ：カルボキシメチルセルロースナトリウム塩
ＰＶＡ：ポリビニルアルコール
【産業上の利用可能性】
【００３９】
本発明のヨウ化カリウムの吸入装置は、放射性ヨウ素による甲状腺の内部被爆の予防・低減用として使用することができる。
【符号の説明】
【００４０】
１  ヨウ化カリウム発生器
４２  ヨウ化カリウム発生剤組成物
１００  ヨウ化カリウムの吸入装置
【図１】
2015218068.tif 000003
【図２】
2015218068.tif 000004